(57)【要約】 【課題】  ＳＣカット水晶振動子を用いた高安定水晶発振器のＣ、Ｂ両モードを選択的に発振させる回路を得る。【解決手段】  トランジスタと、ＳＣカット水晶振動子と、第１及び第２の容量の直列回路とを備えたコルピッツ型水晶発振器において、前記トランジスタのエミッタと接地との間に第３及び第４の容量の直列回路を接続し、前記第１及び第２の容量の接続点と第３及び第４の容量の接続点との間に、インダクタンスと第５の容量との並列回路を接続し、第６の容量と可変容量ダイオードと第７の容量との直列回路を前記第５の容量に並列接続し、前記可変容量ダイオードのカソードに第１の抵抗の一方の端子を接続し、他方の端子を制御電圧に接続し、可変容量ダイオードのアノードに第２の抵抗の一方の端子を接続し、他方の端子を接地して水晶発振器を構成する。【選択図】  図１
2007103985.tif 000002
【特許請求の範囲】
【請求項１】
トランジスタと、ＳＣカット水晶振動子と、第１及び第２の容
量の直列回路とを備えたコルピッツ型水晶発振器において、
前記トランジスタのエミッタと接地との間に第３及び第４の容量の直列回路を
接続し、前記第１及び第２の容量の接続点と第３及び第４の容量の接続点との間
に、インダクタンスと第５の容量との並列回路を接続し、
第６の容量と可変容量ダイオードと第７の容量との直列回路を前記第５の容量
に並列接続し、
前記可変容量ダイオードのカソードに第１の抵抗の一方の端子を接続し、可変
容量ダイオードのアノードに第２の抵抗の一方の端子を接続したものであり、前
記第１の抵抗の他方の端子、及び前記第２の抵抗の他方の端子にそれぞれ、制御
電圧或いは固定電圧のいずれかを排他的に供給したことを特徴とする水晶発振器。
【請求項２】
トランジスタと、ＳＣカット水晶振動子と、第１及び第２の容
量の直列回路とを備えたコルピッツ発振器において、
前記トランジスタのエミッタと接地との間に第３及び第４に容量の直列回路を
接続し、前記第１及び第２の容量の接続点と第３及び第４の容量の接続点との間
に、インダクタンスと第５の容量との直列回路を接続し、
前記第５の容量に可変容量ダイオードを並列接続し、
前記可変容量ダイオードのカソードに第１の抵抗の一方の端子を接続し、可変
容量ダイオードのアノードに第２の抵抗の一方の端子を接続したものであり、前
記第１の抵抗の他方の端子、及び前記第２の抵抗の他方の端子にそれぞれ、制御
電圧或いは固定電圧のいずれかを排他的に供給したことを特徴とする水晶発振器。
【請求項３】
前記固定電圧は接地電圧であることを特徴とする請求項１、または請求項２のいずれかに記載の水晶発振器。
【発明の詳細な説明】
【技術分野】
【０００１】
本発明は、圧電発振器に関し、特にＳＣカット水晶振動子を用いた水晶発振器において、ＣモードあるいはＢモードを選択的に発振させるようにした水晶発振器に関するものである。
【背景技術】
【０００２】
圧電発振器は優れた周波数精度、周波数温度特性、周波数エージング特性等を有するために移動体無線基地局から測定器まで多くの分野で使用されている。
圧電発振器に用いる圧電振動子に２回回転カットのＳＣカット水晶振動子（Ｚ軸の回りに約２２度回転し、更にＸ軸の回りに約３４度回転して切り出した水晶板を用いた水晶振動子）やＩＴカット水晶振動子を用いると、ＡＴカット水晶振動子を用いた場合に比べて応力感度特性や熱衝撃特性等に優れた高安定水晶発振器が得られるため、実用に供されてきた。
【０００３】
図５はＳＣカット水晶振動子の共振特性を示す図であって、横軸が周波数、縦軸がリアクタンスである。同図から明らかのように、主振動の厚みすべり振動モード（Ｃモード）以外に、これより周波数が高い振動モードとして厚みねじれモード（Ｂモード）、厚み縦モード（Ａモード）が存在する。
そのため、Ｃモード以外のＢモード、Ａモードの振動は発振器を構成した際に、スプリアス成分（不要振動成分）として種々の不具合を発生させる原因となっている。特に、主振動たるＣモードに隣接するＢモードの周波数ｆ２はＣモードの周波数ｆ１の約９〜１０％程度しか離れていないため、発振周波数がｆ１からｆ２に変化する周波数ジャンプ現象を引き起こす原因となっていた。
【０００４】
そこで、上記問題を解決した水晶発振器が、特開平９−１５３７４０号公報に開示されている。図６はこの公報に示されたコルピッツ型水晶発振回路であって、発振用増幅器としてのコレクタ接地したトランジスタＴｒのベースに、水晶振動子Ｙ１の一端を接続し、他端を可変容量Ｃｖを介して接地する。そして、トランジスタＴｒのベース−コレクタ間に分割容量Ｃ１、Ｃ２の直列回路を接続すると共に、Ｃ１、Ｃ２の直列回路の中点（分割点）とエミッタとの間に水晶振動子Ｙ２を挿入接続する。図中の符号Ｖｃは電源、符号Ｒ２、Ｒ３はブリーダ抵抗、Ｒ１は帰還抵抗（負荷抵抗）であり、Ｖｏは発振器の出力端子である。尚、水晶振動子Ｙ２は、例えばＡＴカット水晶振動子を用いて、その直列共振周波数を主振動（Ｃモード）による発振周波数にほぼ一致するように設定する。
【０００５】
ここで、水晶発振器に多く用いられているコルピッツ型発振回路について簡単に説明する。図７はコルピッツ型発振回路であって、その構成はトランジスタＴｒのコレクタ−ベース間に誘導性素子を、ベース−エミッタ間及びコレクターエミッタ間にそれぞれ容量性素子を接続して構成する発振回路である。トランジスタＴｒのコレクタ−ベース間の誘導性素子として、ベース−接地間に挿入された水晶振動子Ｙ１を用いる。エミッタ−接地間に抵抗Ｒ１を接続し、ベース−接地間に容量Ｃ１とＣ２との直列接続回路を接続すると共に、容量Ｃ１、Ｃ２の接続中点とエミッタとを接続して、コルピッツ型発振回路を構成する。
【０００６】
コルピッツ型発振回路においては一般的に、電源Ｖｃ−接地間はバイパスコンデンサによって高周波的には短絡されているため、等価回路的にコレクタ−ベース間に誘導性素子として利用する水晶振動子Ｙ１が挿入されたことになる。また、容量Ｃ１とＣ２との中点がエミッタに接続されているため、トランジスタＴｒのベース−エミッタ間には容量Ｃ１が、コレクタ−エミッタ間には容量Ｃ２が挿入されることになり、いずれも容量性として作用することになる。抵抗Ｒ２、Ｒ３はブリーダ抵抗でベースバイアス電圧を設定する。
また、コルピッツ型水晶発振回路においては、水晶振動子Ｙ１の両端から回路側をみた増幅度、所謂負性抵抗Ｒ（Ω）は、容量Ｃ１、Ｃ２と周波数の自乗ω2とに逆比例し、コレクタ電流に比例することが知られている。即ち、周波数が高くなると共に負性抵抗Ｒ（Ω）の絶対値は増大し、所定の周波数にてピーク値に達し、その後は周波数が高くなるにつれて減少する。
【０００７】
図８は負性抵抗特性（周波数−負性抵抗）を示す図であって、図６に示した発振回路の負性抵抗（実線）イと、比較のために一般的なコルピッツ型発振回路の負性抵抗（破線）ロとを示した図である。負性抵抗値が大きい程、発振し易くなることは周知の通りであるが、消費電流、不要振動の抑圧等の理由から、水晶振動子の実効抵抗の数倍程度の値に設定するのが一般的である。尚、ここで実効抵抗とは各モードの共振周波数における水晶振動子の呈する抵抗のことである。
【０００８】
負性抵抗特性イは、一般的なコルピッツ回路の負性抵抗ロに比較して、水晶振動子Ｙ２を分割容量Ｃ１、Ｃ２の直列回路の中点とトランジスタのエミッタとの間に挿入することにより、帰還回路に周波数選択性を持たせ、負性抵抗特性を狭帯域としたもので、主振動のＣモードの周波数（１０．０ＭＨｚ）では充分に大きな負性抵抗となり、Ｂモードの周波数（１０．９ＭＨｚ）では負性抵抗が小さく、あるいは正の抵抗を呈することを示しており、その結果Ｂモードの周波数では発振できないことを示している。
【０００９】
図９は前述の公報に開示された変形実施例を示すものであって、図６の水晶振動子Ｙ２をインダクタンスＬと容量Ｃｔとの直列回路で置換した発振回路であり、インダクタンスＬと容量Ｃｔとによる直列共振周波数を主振動Ｃモードの周波数に一致するように設定する。この発振回路の負性抵抗特性は図８の一点鎖線ハに示すように、曲線イよりも幾分広帯域な周波数特性となり、主振動Ｃモードの周波数では充分に大きな負性抵抗を示すが、Ｂモードの周波数ではその値が小さくなり、該モードで発振することはできないと上記公報には記載されている。
【００１０】
Ｃモード、Ｂモード間のジャンプ問題を解決した水晶発振器が、特開２０００−２９５０３７号公報に開示されている。図１０は高安定度水晶発振器の構成を示す回路図であり、発振増幅用としてのトランジスタＴｒのベースに水晶振動子Ｙ１の一端を接続し、他端を可変容量Ｃｖを介して接地する。トランジスタＴｒのベース−接地間に分割容量Ｃ１、Ｃ２の直列回路を接続し、エミッタ−接地間に分割容量Ｃ３、Ｃ４の直列回路を接続すると共に、分割容量Ｃ１、Ｃ２の接続点（中点）と、分割容量Ｃ３、Ｃ４の接続点（中点）との間にインダクタンスＬ１と可変リアクタンスＺの直列回路を接続する。そして、トランジスタＴｒのエミッタ−アース間、電源Ｖｃとコレクタ間にはそれぞれ帰還抵抗Ｒ１、負荷抵抗Ｒ４を接続すると共に、電源とトランジスタＴｒのベース間及びベースとアース間にそれぞれブリーダ抵抗Ｒ２、Ｒ３を接続する。尚、出力端子ＶｏはトランジスタＴｒのコレクタに接続する。
【００１１】
図１０の発振回路を用い、分割容量Ｃ１、Ｃ２、Ｃ３、Ｃ４、インダクタンス（Ｌ１+Ｚ）を含む複合回路網の回路定数を種々変えて、発振回路の負性抵抗のシミュレーションをおこなったところ、容量Ｃ１=１００ｐＦ、Ｃ２ =Ｃ３=Ｃ４=２００ｐＦ、Ｃｖ=５０ｐＦ、抵抗Ｒ１=１ｋΩ、Ｒ２=２２０Ω、Ｒ３=Ｒ４=１０ｋΩ、インダクタンス（Ｌ１+Ｚ）=１．３μＨ〜１．５μＨの定数を用いた場合に、図１１に示す狭帯域の負性抵抗特性が得られた。この図の負性抵抗特性から主振動（Ｃモード）の周波数では充分に大きな負性抵抗が得られ、Ｂモードの周波数（１０．９ＭＨｚ〜１１．０ＭＨｚ）では負性抵抗が極めて小さい又は正となることが明らかである。即ち、主振動（Ｃモード）のみを発振させ、Ｂモードの発振を完全に抑圧した回路が得られたことが証明される。このとき前記複合回路網の直列共振周波数がＣモードの周波数に、並列共振周波数がＢモードの周波数にそれぞれほぼ一致している。
【００１２】
図１２に示す水晶発振回路は、図１０に示した水晶発振回路のインダクタンス（Ｌ１+Ｚ）の代わりに、インダクタンスＬ１と容量Ｃ５の並列回路を用いた例で、この並列回路の共振周波数をＢモードの周波数に一致させて、Ｂモードの発振を抑圧した回路構成である。つまり、発振ループ中にインダクタンスＬ１と容量Ｃ１、Ｃ２、Ｃ３、Ｃ４、Ｃ５とによりバンドエリミネーション・フィルタを形成することになり、Ｂモードの周波数を阻止し、この周波数での発振を防止する。
【００１３】
周知のように、高安定水晶発振器では発振周波数を一定に保持するために、水晶振動子を恒温槽に入れ、該恒温槽の温度を一定に制御するため、一般に感温素子としてサーミスタを用いてきた。しかし、不要モードとして抑圧していたＳＣカット水晶振動子のＢモードを温度センサーとして用い、発振周波数を補償する水晶発振器が、特開平５−２４３８９２号公報に開示されている。図１３はこの公報に示された高安定水晶発振器のブロック図である。Ｂモードの周波数温度特性は、１次温度係数が約−３０ｐｐｍ／℃でほぼ直線的に変化する。つまり、水晶振動子の周波数を１０ＭＨｚとした場合、１度の変化で−３００Ｈｚ変化することになる。この温度−周波数特性を利用して発振周波数を補償するのである。
【００１４】
Ｃ、Ｂモードの両モードを発振させるデュアルモード発振回路が、「Highly  Stable  and  Low  Phase-Noise  Oven-Controled  Crystal  Oscillators  Using  Dual-Mode  Excitation」  IEICE  Trans.Fundamentals,Vol.E85-A,No2  February  2002に開示されている。図１４はデュアルモード発振回路の構成を示す回路で、発振回路１と、発振回路２と、ＳＣカット水晶振動子Ｘｔａｌと可変容量ダイオードＣｖとの直列接続回路とから構成される。発振回路１は、トランジスタＴｒ１のエミッタと接地（ＧＮＤ）間に抵抗Ｒｅ１を接続し、Ｔｒ１のベース接地間に抵抗Ｒｂ１を接続し、さらに容量Ｃ１と容量Ｃ２との直列接続回路を接続する。そして、容量Ｃ１とＣ２の接点とエミッタとの間に水晶振動子Ｘｔａｌ１と容量Ｃａ１との直列接続回路を接続する。電源ＶｃとＴｒ１のコレクタ間、ＶｃとＴｒ１のベース間にそれぞれ抵抗Ｒｃ１、Ｒａ１を接続し、エミッタから出力ＯＵＴ１を取り出す。ＳＣカット水晶振動子Ｘｔａｌと可変容量ダイオードＣｖとの直列接続回路の一端を容量Ｃｉ１を介してＴｒ１のベースに接続し、他端を接地し、可変容量ダイオードＣｖのカソードに制御電圧Ｖｃｎｔを印加する。
【００１５】
発振回路２は発振回路１と同じ構成であり、ＳＣカット水晶振動子Ｘｔａｌと可変容量ダイオードＣｖとの直列接続回路に対して対称に構成されている。そして、水晶振動子Ｘｔａｌ１、Ｘｔａｌ２の共振周波数をそれぞれＣモード、Ｂモードの周波数に設定することにより、発振回路１をＣモード用発振回路、発振回路２をＢモード用発振回路とし、出力端子ＯＵＴ１に繋がる水晶振動子Ｘｔａｌ１はＣモードの発振周波数のみを通過させるフィルタとして作用し、出力端子ＯＵＴ２に繋がる水晶振動子Ｘｔａｌ２はＢモードの発振周波数のみを通過させるフィルタとして作用する。
【特許文献１】特開平５−２４３８９２号公報
【特許文献２】特開平９−１５３７４０号公報
【特許文献３】特開２０００−２９５０３７号公報
【非特許文献１】「Highly  Stable  and  Low  Phase-Noise  Oven-Controled  Crystal  Oscillators  Using  Dual-Mode  Excitation」IEICE  Trans.Fundamentals,Vol.E85-A,No2  February  2002
【発明の開示】
【発明が解決しようとする課題】
【００１６】
しかしながら、特許文献１にはＢモードを具体的に発振させる方法が開示されてなく、また非特許文献１に開示された回路図は複雑であり、コストが高くなるという問題があった。
本発明はこの問題を解決するためになされたもので、Ｃモード、Ｂモードを容易に発振させる、低コストの発振回路を提供することにある。
【課題を解決するための手段】
【００１７】
本発明に係る圧電発振器の請求項１の発明は、トランジスタと、ＳＣカット水晶振動子と、第１及び第２の容量の直列回路とを備えたコルピッツ型水晶発振器において、前記トランジスタのエミッタと接地との間に第３及び第４の容量の直列回路を接続し、前記第１及び第２の容量の接続点と第３及び第４の容量の接続点との間に、インダクタンスと第５の容量との並列回路を接続し、  第６の容量と可変容量ダイオードと第７の容量との直列回路を前記第５の容量に並列接続し、前記可変容量ダイオードのカソードに第１の抵抗の一方の端子を接続し、可変容量ダイオードのアノードに第２の抵抗の一方の端子を接続したものであり、前記第１の抵抗の他方の端子、及び前記第２の抵抗の他方の端子にそれぞれ、制御電圧或いは固定電圧のいずれかを排他的に供給して水晶発振器を構成したことを特徴とする。
請求項２の発明は、トランジスタと、ＳＣカット水晶振動子と、第１及び第２の容量の直列回路とを備えたコルピッツ発振器において、前記トランジスタのエミッタと接地との間に第３及び第４に容量の直列回路を接続し、前記第１及び第２の容量の接続点と第３及び第４の容量の接続点との間に、インダクタンスと第５の容量との直列回路を接続し、前記第５の容量に可変容量ダイオードを並列接続し、  前記可変容量ダイオードのカソードに第１の抵抗の一方の端子を接続し、可変容量ダイオードのアノードに第２の抵抗の一方の端子を接続したものであり、前記第１の抵抗の他方の端子、及び前記第２の抵抗の他方の端子にそれぞれ、制御電圧或いは固定電圧のいずれかを排他的に供給して水晶発振器を構成したことを特徴とする。
請求項３の発明は、前記固定電圧は接地電圧であることを特徴とする請求項１、または請求項２のいずれかに記載の水晶発振器である。
【発明の効果】
【００１８】
本発明の請求項１の発明は、分割容量Ｃ１、Ｃ２の中点と分割容量Ｃ３、Ｃ４    の中点との間に、インダクタンスと可変容量ダイオードを含む容量との並列回路を挿入し、これらが形成するバンドエリミネーション・フィルタの帯域を制御電圧により可変することにより、ＣモードあるいはＢモードを選択的に発振させることができるという利点がある。
本発明の請求項２の発明は、分割容量Ｃ１、Ｃ２の中点と分割容量Ｃ３、Ｃ４    の中点との間に、インダクタンスと可変容量ダイオードを含む容量との直列回路を挿入し、これらが形成するバンドパス・フィルタの帯域を制御電圧により可変することにより、ＣモードあるいはＢモードを選択的に発振させることができるという利点がある。
本発明の請求項３の発明は、請求項１又は２において、固定電圧の一方を接地電圧としたことにより、回路の動作がより安定する。
【発明を実施するための最良の形態】
【００１９】
図１は本発明に係る高安定度水晶発振器の実施の形態を示す回路図であって、発振増幅用としてのトランジスタＴｒのベースに水晶振動子Ｙ１の一端を接続し、他端を可変容量Ｃｖを介して接地する。トランジスタＴｒのベース−接地間に分割容量Ｃ１、Ｃ２の直列回路を接続し、エミッタ−接地間に分割容量Ｃ３、Ｃ４の直列回路を接続する。そして、トランジスタＴｒのエミッタ−アース間、電源Ｖｃ−コレクタ間にはそれぞれ帰還抵抗Ｒ１、負荷抵抗Ｒ４を接続すると共に、電源とトランジスタＴｒのベースとの間及びベースとアースとの間にそれぞれブリーダ抵抗Ｒ２、Ｒ３を接続する。
【００２０】
そして、分割容量Ｃ１、Ｃ２の接続点（中点）と分割容量Ｃ３、Ｃ４の接続点（中点）との間に、インダクタンスＬ１と容量Ｃ５との並列回路を接続する。さらに、容量Ｃ６と可変容量ダイオードＤ１と容量Ｃ７との直列回路を、容量Ｃ５に並列接続し、可変容量ダイオードＤ１のカソードに抵抗Ｒ５の一方の端子を接続し、他方の端子を制御電圧Ｖｃｎｔに接続する。可変容量ダイオードＤ１のアノードには抵抗Ｒ６の一方の端子を接続し、他方の端子を接地し、トランジスタＴｒのコレクタから出力端子Ｖｏを取り出して、本発明に係る両モード発振高安定水晶発振器を構成する。
【００２１】
図２は、図１に示した発振回路の負性抵抗特性を示したものである。図１の回路条件としては、ＳＣカット水晶振動子Ｙ１の周波数を２０ＭＨｚとし、抵抗Ｒ１、Ｒ２、Ｒ３をそれぞれ６８０Ω、８ｋΩ、２２ｋΩ、容量Ｃ１、Ｃ２、Ｃ３、Ｃ４をそれぞれ１００ｐＦ、１５０ｐＦ、１５０ｐＦ、１５０ｐＦ、インダクタンスＬ１を０．３μＨとし、容量Ｃ５、Ｃ６、Ｃ７（Ｃ５、Ｃ６、Ｃ７は固定値）と可変容量ダイオードＤ１との合成容量が６０ｐＦになるように制御電圧Ｖｃｎｔを適切に設定している。図２より負性抵抗のピークは約２０ＭＨｚであり、水晶発振器はＣモードの周波数２０ＭＨｚで発振することが分かる。一方、Ｃモードの周波数２０ＭＨｚより９％〜１０％程度高周波側に位置するＢモードの周波数（２１．８ＭＨｚ〜２２ＭＨｚ）では負性抵抗はほぼ零であり、Ｂモードでは発振しないことが分かる。
【００２２】
図３は、可変容量ダイオードＤ１に加える制御電圧Ｖｃｎｔを変化させたとこの負性抵抗を示したものであり、その他の条件は前述した図２の例と同一にしている。ここで、容量Ｃ５、Ｃ６、Ｃ７と可変容量ダイオードＤ１との合成容量が２０ｐＦになるように前期制御電圧Ｖｃｎｔを適切に設定している。図３より負性抵抗のピークは約２２ＭＨｚであり、Ｃモードの周波数２０ＭＨｚにおける負性抵抗は−２２Ωを示している。従って、Ｃモードで発振せず、Ｂモードのみで発振することがあ分かる。
このように、本発明は、容量Ｃ１、Ｃ２、Ｃ３、Ｃ４、Ｃ５、Ｃ６、Ｃ７及びインダクタンスＬ１を固定値とし、可変容量ダイオードＤ１の制御電圧Ｖｃｎｔを適切に設定することにより、発振ループ中のバンドエリミネーション・フィルタの帯域を可変し、その結果発振回路の負性抵抗特性を変化させて、Ｃモード、Ｂモードのいずれか一方を選択的に発振させることができる。
【００２３】
図４は本発明に係る他の両モード発振可能な高安定度水晶発振器の実施の形態を示す回路であり、図１と異なるところは、分割容量Ｃ１、Ｃ２の接続点（中点）と分割容量Ｃ３、Ｃ４の接続点との間に、インダクタンスＬ１と容量Ｃ５との直列回路を接続し、更に容量Ｃ５に可変容量ダイオードＤ１を並列接続すると共に、可変容量ダイオードＤ１のカソードに抵抗Ｒ５の一端を接続し、他端を制御電圧Ｖｃｎｔに接続する。そして、可変容量ダイオードＤ１のアノードに抵抗Ｒ６の一端を接続し、他端を接地して構成した発振回路である。容量Ｃ１、Ｃ２、Ｃ３、Ｃ４、Ｃ５とインダクタンスＬ１と可変容量ダイオードＤ１とで、発振ループ中にバンドパスフィルタを形成し、負性抵抗特性に選択特性をもたせる。つまり、制御電圧Ｖｃｎｔを所定のＶ１に設定すればＣモードを発振し、所定のＶ２に設定すればＢモードを発振するようにできる。
【００２４】
なお、図１、４の実施例では、可変容量ダイオードのアノード側を抵抗を介して接地し、カソード側に抵抗を介して正電圧を印加することによって可変容量ダイオードに逆バイアス与えているが、カソード側を一定の電源に接続し、アノード側に電源より低い制御電圧を印加することによって逆バイアスを与えるようにしても良い。また、電源より抵抗を介してカソードと接続し、アノード側にカソード側の電圧より低い制御電圧を印加しても良い。
また、上記説明では、可変容量ダイオードを用いて説明したが、電圧を可変することにより、容量値を可変できる電子素子を用いてもよい。
【図面の簡単な説明】
【００２５】
【図１】本発明に係る両モード発振高安定水晶発振器の実施の形態を示す回路である。
【図２】制御電圧ＶｃｎｔをＶ１に設定した場合の図１の発振回路負性特性である。
【図３】制御電圧ＶｃｎｔをＶ２に設定した場合の図１の発振回路負性特性である。
【図４】本発明に係る他の両モード発振高安定水晶発振器の実施の形態を示す回路である。
【図５】ＳＣカット水晶振動子の共振特性である。
【図６】Ｃモードのみを発振させる高安定水晶発振器の回路である。
【図７】コルピッツ型水晶発振器の回路である。
【図８】高安定水晶発振器の負性抵抗を説明する図である。
【図９】Ｃモードのみを発振させる高安定水晶発振器の回路である。
【図１０】Ｃモードのみを発振させる高安定水晶発振器の回路である。
【図１１】図１０の回路のインダクタンスＬ１を変化させたときの負性抵抗特性の変化を示す図である。
【図１２】Ｃモードのみを発振させる高安定水晶発振器の回路である。
【図１３】Ｂモードを温度センサーとしてＣモードの発振周波数を補償する水晶発振器のブロック図である。
【図１４】Ｃモード、Ｂモード両モード発振水晶発振器の回路である。
【符号の説明】
【００２６】
Ｙ１  水晶振動子
Ｔｒ  トランジスタ
Ｒ１、Ｒ２、Ｒ３、Ｒ４、Ｒ５、Ｒ６  抵抗
Ｃ１、Ｃ２、Ｃ３、Ｃ４、Ｃ５、Ｃ６、Ｃ７  容量
Ｃｖ  可変容量
Ｌ１  インダクタンス
Ｄ１  可変容量ダイオード  
Ｖｃ  電源電圧
Ｖｃｎｔ  制御電圧
【図１】
2007103985.tif 000003
【図２】
2007103985.tif 000004
【図３】
2007103985.tif 000005
【図４】
2007103985.tif 000006
【図５】
2007103985.tif 000007
【図６】
2007103985.tif 000008
【図７】
2007103985.tif 000009
【図８】
2007103985.tif 000010
【図９】
2007103985.tif 000011
【図１０】
2007103985.tif 000012
【図１１】
2007103985.tif 000013
【図１２】
2007103985.tif 000014
【図１３】
2007103985.tif 000015
【図１４】
2007103985.tif 000016